(57)【要約】【課題】各種電子機器に用いられるタッチパネルに関し、視認性が良好で、安価なものを提供することを目的とする。【解決手段】上面に偏光板１３を装着した上位相差板１１下面の上導電層３に、下位相差板１２上面の下導電層４を、所定の間隙を空けて対向するようにしてタッチパネルを構成することによって、偏光板１３と上位相差板１１、下位相差板１２によって外部光の反射を防ぎ、背面の液晶表示素子等の良好な視認性が得られると共に、上下導電層３、４が上下位相差板１１、１２に各々一体に形成されているため、構成部品数が少なく、安価なものを得ることができる。【選択図】図１
2006011598.tif 000002
【特許請求の範囲】
【請求項１】
下面に上導電層が形成された上位相差板と、この上位相差板上面に装着された偏光板と、上面に上記上導電層と所定の間隙を空けて対向する下導電層が形成された下位相差板からなるタッチパネル。
【発明の詳細な説明】
【技術分野】
【０００１】
本発明は、各種電子機器の操作に用いられるタッチパネルに関するものである。
【背景技術】
【０００２】
近年、携帯電話や携帯端末等の各種電子機器の高機能化や多様化が進むに伴い、液晶等の表示素子の前面に光透過性のタッチパネルを装着して、このタッチパネルを通して背面の表示素子の表示を視認しながら、指やペン等でタッチパネルを押圧操作することによって、機器の各機能の切換えを行うものが増えており、安価で視認性に優れたものが求められている。
【０００３】
このような従来のタッチパネルについて、図２を用いて説明する。
【０００４】
なお、構成を判り易くするために、図面は厚さ方向の寸法を拡大して表している。
【０００５】
図２は従来のタッチパネルの断面図であり、同図において、１はフィルム状で光透過性の上基板、２は同じく光透過性の下基板で、上基板1の下面には酸化インジウム錫等の光透過性の上導電層３が、下基板２の上面には同じく下導電層４が各々形成されている。
【０００６】
また、下導電層４上面には絶縁樹脂によって、複数のドットスペーサ（図示せず）が所定間隔で形成されると共に、上導電層３の両端には一対の上電極（図示せず）が、下導電層４の両端には、上電極とは直交方向の一対の下電極（図示せず）が各々形成されている。
【０００７】
さらに、５は額縁状のスペーサで、このスペーサ５の上下面に塗布形成された接着層（図示せず）によって、上基板１と下基板２の外周が貼り合わされ、上導電層３と下導電層４が所定の間隙を空けて対向するようにして、タッチパネルが構成されている。
【０００８】
そして、このように構成されたタッチパネルは、液晶表示素子等の前面に配置されて電子機器に装着されると共に、一対の上電極と下電極が機器の電子回路（図示せず）に接続される。
【０００９】
以上の構成において、タッチパネル背面の液晶表示素子の表示を視認しながら、上基板１上面を指或いはペン等で押圧操作すると、上基板１が撓み、押圧された箇所の上導電層３が下導電層４に接触する。
【００１０】
そして、電子回路から上電極と下電極へ順次電圧が印加され、これらの電極間の電圧比によって、押圧された箇所を電子回路が検出し、機器の様々な機能の切換えが行われるように構成されているものであった。
【００１１】
なお、この出願の発明に関連する先行技術文献情報としては、例えば、特許文献１が知られている。
【特許文献１】特開２０００−１０７３２号公報
【発明の開示】
【発明が解決しようとする課題】
【００１２】
しかしながら、上記従来のタッチパネルにおいては、上基板１とこの下面の上導電層３、及び間隙を介した下導電層４と下基板２というように、多くの部品からタッチパネルが構成されているため、屋外や蛍光灯の下など特に周囲が明るい状態では、太陽光や灯火等の外部光がこれらの上下面で反射し、タッチパネル背面の液晶表示素子等の表示が見づらくなってしまうという課題があった。
【００１３】
また、このような外部光の反射による視認性を改善するため、偏光板や複数の位相差板をタッチパネルの上下面に重ね合わせたものも提案されているが、この場合には、構成部品数がさらに増え、タッチパネルが高価なものになるという課題があった。
【００１４】
本発明は、このような従来の課題を解決するものであり、液晶表示素子等の視認性が良好で、安価なタッチパネルを提供することを目的とする。
【課題を解決するための手段】
【００１５】
上記目的を達成するために本発明は、上面に偏光板を装着した上位相差板下面の上導電層に、下位相差板上面の下導電層を、所定の間隙を空けて対向するようにしてタッチパネルを構成したものであり、偏光板と上位相差板、下位相差板によって外部光の反射を防ぎ、背面の液晶表示素子等の良好な視認性が得られると共に、上下導電層が上下位相差板に各々一体に形成されているため、構成部品数が少なく、安価なタッチパネルを得ることができるという作用を有する。
【発明の効果】
【００１６】
以上のように本発明によれば、視認性が良好で、安価なタッチパネルを実現することができるという有利な効果が得られる。
【発明を実施するための最良の形態】
【００１７】
以下、本発明の実施の形態について、図１を用いて説明する。
【００１８】
なお、構成を判り易くするために、図面は厚さ方向の寸法を拡大して表している。
【００１９】
また、背景技術の項で説明した構成と同一構成の部分には同一符号を付して、詳細な説明を簡略化する。
【００２０】
（実施の形態）
図１は本発明の一実施の形態によるタッチパネルの断面図であり、同図において、１１はポリカーボネートやシクロオレフィンポリマー等のフィルムを延伸し複屈折性を持たせた、１／４波長で可撓性の上位相差板、１２は同じく下位相差板で、上位相差板１１の下面には酸化インジウム錫や酸化錫等の光透過性の上導電層３が、下位相差板１２の上面には同じく下導電層４がスパッタ法等によって各々形成されている。
【００２１】
そして、下導電層４上面にはエポキシやシリコン等の絶縁樹脂によって、複数のドットスペーサ（図示せず）が所定間隔で形成されると共に、上導電層３の両端には一対の上電極（図示せず）が、下導電層４の両端には、上電極とは直交方向の一対の下電極（図示せず）が各々形成されている。
【００２２】
また、５は不織布やポリエステルフィルム等の額縁状のスペーサで、このスペーサ５の上下面に塗布形成された接着層（図示せず）によって、上位相差板１１と下位相差板１２の外周が貼り合わされ、上導電層３と下導電層４が所定の間隙を空けて対向している。
【００２３】
さらに、１３はヨウ素や染料を吸着させ延伸・配向させたポリビニルアルコールの上下面に、トリアセチルセルロース等が積層された可撓性の偏光板で、この偏光板１３がアクリル等の接着剤（図示せず）によって、上位相差板１１上面に装着貼付されてタッチパネルが構成されている。
【００２４】
そして、このように構成されたタッチパネルは、液晶表示素子等の前面に配置されて電子機器に装着されると共に、一対の上電極と下電極が機器の電子回路（図示せず）に接続される。
【００２５】
以上の構成において、タッチパネル背面の液晶表示素子の表示を視認しながら、偏光板１３上面を指或いはペン等で押圧操作すると、偏光板１３と上位相差板１１が撓み、押圧された箇所の上導電層３が下導電層４に接触する。
【００２６】
そして、電子回路から上電極と下電極へ順次電圧が印加され、これらの電極間の電圧比によって、押圧された箇所を電子回路が検出し、機器の様々な機能の切換えが行われるように構成されている。
【００２７】
また、この時、上方からの太陽光や灯火等の外部光は、先ず、偏光板１３を通過することによって、Ｘ方向及びこれと直交するＹ方向の光波のうち、例えば、偏光板１３がＹ方向の光波を遮断するものであった場合、Ｘ方向の直線偏光となって偏光板１３から上位相差板１１に入射する。
【００２８】
次に、この光は１／４波長の上位相差板１１を通過することによって、光の波長λに対して、λ／４ずれた波長となって下導電層４で上方へ反射する。
【００２９】
そして、この反射光は、再び上位相差板１１を通過することによって、さらに波長がλ／４ずれると共に、Ｙ方向の直線偏光となって偏光板１３に入射するが、偏光板１３はＸ方向の光波だけを通過させるため、Ｙ方向の反射光は偏光板１３で遮断される。
【００３０】
つまり、上方からタッチパネルに入射した外部光は、下導電層４で上方へ反射するが、この反射光は偏光板１３で遮断され、操作面である偏光板１３上面からは出射しないため、反射がなく、背面の液晶表示素子等の良好な視認性が得られるように構成されている。
【００３１】
これに対し、タッチパネル背面の液晶表示素子等の点灯光は、これをＹ方向の直線偏光としておけば、先ず下位相差板１２を通過することによって、波長がλ／４ずれた後、上位相差板１１を通過することによって、さらに波長がλ／４ずれると共に、Ｘ方向の直線偏光となって偏光板１３に入射し、操作面である偏光板１３上面から出射する。
【００３２】
つまり、液晶表示素子等からの点灯光は、下位相差板１２と上位相差板１１を通過することによって、Ｘ方向の直線偏光となり、波長がλ／２ずれただけで偏光板１３上面から出射されるため、タッチパネル背面の液晶表示素子等の表示は明確に視認することができる。
【００３３】
さらに、上位相差板１１の下面に上導電層３が、下位相差板１２の上面に下導電層４が各々一体に形成され、タッチパネルに必要不可欠な部品のみで構成されているため、構成部品数が少なく、タッチパネルを安価なものとすることができる。
【００３４】
このように本実施の形態によれば、上面に偏光板１３を装着した上位相差板１１下面の上導電層３に、下位相差板１２上面の下導電層４を、所定の間隙を空けて対向するようにしてタッチパネルを構成することによって、偏光板１３と上位相差板１１、下位相差板１２によって外部光の反射を防ぎ、背面の液晶表示素子等の良好な視認性が得られると共に、上下導電層３、４が上下位相差板１１、１２に各々一体に形成されているため、構成部品数が少なく、安価なタッチパネルを得ることができるものである。
【産業上の利用可能性】
【００３５】
本発明によるタッチパネルは、視認性が良好で、安価なものを提供することができるという有利な効果を有し、各種電子機器の操作用として有用である。
【図面の簡単な説明】
【００３６】
【図１】本発明の一実施の形態によるタッチパネルの断面図
【図２】従来のタッチパネルの断面図
【符号の説明】
【００３７】
３  上導電層
４  下導電層
５  スペーサ
１１  上位相差板
１２  下位相差板
１３  偏光板
【図１】
2006011598.tif 000003
【図２】
2006011598.tif 000004